(57)【要約】【課題】消しゴム繰り出し容器において、繰り出し操作中または消しゴム使用中に消しゴム滑りが生じるという問題点があった。【解決手段】外筒１内に摺動自在に設けられた内筒２と、この内筒２の先部に設けられ消しゴム５を挟持するチャック３と、このチャック３に遊嵌されたチャックリング４と、チャック３と軸筒１との間に設けられたスプリング６とを有し、内筒２の後部のノック部７をノック操作してチャック３を前後動することにより消しゴム５を軸筒１の先端開口から繰り出すことができる消しゴム繰り出し容器に用いられる消しゴム５であって、この消しゴム５の少なくとも一部分に滑り止め手段９を形成してなる。【選択図】図１
2006056086.tif 000002
【特許請求の範囲】
【請求項１】
外筒内に摺動自在に設けられた内筒と、この内筒の先部に設けられ消しゴムを挟持するチャックと、このチャックに遊嵌されたチャックリングと、外筒と内筒との間に設けられ内筒を後方に付勢するスプリングとを有し、内筒をノック操作してチャックを前後動することにより消しゴムを外筒の先端開口から繰り出すことができる消しゴム繰り出し容器に用いられる消しゴムであって、この消しゴムの表面の少なくとも一部分に滑り止め手段を形成してなることを特徴とする繰り出し容器用消しゴム。
【請求項２】
請求項１記載の消しゴムにおいて、前記消しゴムの形状が扁平であって、この消しゴムの上下面の少なくとも一つの面に滑り止め手段を形成したことを特徴とする繰り出し容器用消しゴム。
【請求項３】
請求項２記載の消しゴムにおいて、前記滑り止め手段が消しゴムの上下面に形成された突起であることを特徴とする繰り出し容器用消しゴム。
【請求項４】
請求項２記載の消しゴムにおいて、前記突起は長手方向に平行に形成された複数の突条であり、これらの対向する面における突条は、平面的に重ならない位置に形成されてなることを特徴とする繰り出し容器用消しゴム。
【請求項５】
請求項１記載の消しゴムにおいて、前記消しゴムの形状が断面三角形状であって、この消しゴムの少なくとも一つの面に滑り止め手段を形成したことを特徴とする繰り出し容器用消しゴム。
【請求項６】
外筒内に摺動可能に設けられた内筒と、この内筒の先部に設けられたチャックと、このチャックに遊嵌されたチャックリングと、外筒と内筒との間に設けられて内筒を後方に付勢してなるスプリングとから構成されてなる消しゴム繰り出し容器において、外筒にばらつき吸収手段を形成してなることを特徴とする消しゴム繰り出し容器。
【請求項７】
請求項６記載の容器において、前記ばらつき吸収手段が、コ字形のスリットがその周辺に形成された撓み部を少なくとも１ヶ所設けたことを特徴とする消しゴム繰り出し容器。
【請求項８】
外筒内に摺動可能に設けられた内筒と、この内筒の先部に設けられたチャックと、このチャックに遊嵌されたチャックリングと、外筒と内筒との間に設けられて内筒を後方に付勢してなるスプリングとから構成されてなる消しゴム繰り出し容器において、外筒の長手方向に外部操作用の操作孔を形成してなることを特徴とする消しゴム繰り出し容器。
【発明の詳細な説明】
【技術分野】
【０００１】
この発明は、消しゴム、特に棒状の消しゴムを繰り出すための繰り出し容器用消しゴム及びその容器に関する。
【０００２】
従来、繰り出し容器に用いられるような消しゴムは、通常それ相応の弾性があって変形しやすいので繰り出し操作中または消字中などに滑りを生じて容器内に退没するというおそれがあった。また、その容器は消しゴムの径等に成形上ばらつきがあると、繰り出し操作に支障が生じていた。さらに、消しゴムを前から挿入する容器の場合、消しゴムが短くなって、消しゴムの収納時に消しゴムの先端を押圧し過ぎチャックの銜え代（くわえ代）から外れて容器内に没入してしまったときに消しゴムを繰り出すことができなくなってしまっていた。
【０００３】
図１１は、従来の扁平な消しゴム繰り出し容器の構成を示す横断面図である。図において、この繰り出し具は、主に外筒２１と、この外筒２１内に摺動自在に挿入された内筒２２と、この内筒２２の先部に設けられ消しゴムの上下面を挟持する挟持部３２を有するチャック２３と、このチャック２３に遊嵌されたチャックリング２４と、チャック２３と外筒２１との間に設けられた弾性体であるスプリング２５とを有し、チャック２３の後端ノック部３１をノック操作してチャック２３を前後に摺動することにより、消しゴムを外筒２１の先端から繰り出すことができる消しゴム繰り出し容器である。
【０００４】
なお、チャックリング２４も扁平形状であって、その後部上・下面にそれぞれ連結用孔２４ａと抜け止め部２４ｂを有しており、その上・下連結用穴２４ａを外筒１の前部上・下面にそれぞれ形成された突起部２１ａに抜け止め側より押し込んで遊嵌させることにより外筒１の前部に連結されて抜け止めされる。
【０００５】
そして、内筒２２の長手方向と直交する方向にスプリング２５の収容保持用貫通孔２２ａを内筒２２の後方基部２２ｂに形成すると共に、外筒２１の後端から長手方向にわたって延在する弾性体ガイド兼挿入溝２２ｃを外筒２１の内面に形成し、繰り出し具の組み立て時にスプリング２５を上記貫通孔２２ａの前・後面間にその弾発力により保持した内筒２２を外筒２１内にスライド挿入させた際、スプリング２５の前方部を外筒２１の弾性ガイド兼挿入溝２２ａ内に嵌入して係止部２２ｄに係止する構成とする。
【０００６】
このような消しゴム繰り出し容器に用いられる消しゴムは特に滑り止めがなされていなく弾性があるので操作中に滑りが生じてしまい退没するおそれがあった。また、消しゴムの径等にばらつきがあった場合には、消しゴムの装着及び繰り出しがスムーズにいかないことがあった。消しゴムが短くなってチャック２３から外れて容器内に没入してしまったときに消しゴムを繰り出すことができなくなってしまっていた。
【０００７】
【特許文献１】実用新案登録第２５２４４１１号公報
【発明の開示】
【発明が解決しようとする課題】
【０００８】
この発明が解決しようとする問題点は、一般的に消しゴムは弾力があって変形しやすいので繰り出し操作中または消しゴム使用中に消しゴム滑りが生じて退没するということである。
また、その容器は消しゴムの径等にばらつきがあると、消しゴムを確実に挟持できなく繰り出し操作上も問題があった。
さらに、消しゴムが短くなって、消しゴム収納時に消しゴムの先端を押圧し過ぎチャック３の銜え代から消しゴムが外れて容器内に消しゴムが落ち込んでしまって繰り出せなくなるおそれもあった。
【課題を解決するための手段】
【０００９】
上記問題点を解決するために、この発明は外筒内に摺動自在に設けられた内筒と、この内筒の先部に設けられ消しゴムを挟持するチャックと、このチャックに遊嵌されたチャックリングと、外筒と内筒との間に設けられ内筒を後方に付勢するスプリングとを有し、内筒をノック操作してチャックを前後動することにより消しゴムを外筒の先端開口から繰り出すことができる消しゴム繰り出し容器に用いられる消しゴムであって、この消しゴムの表面の少なくとも一部分に滑り止め手段を形成してなる繰り出し容器用消しゴムを提供する。
【００１０】
さらに、この発明は、外筒内に摺動可能に設けられた内筒と、この内筒の先部に設けられたチャックと、このチャックに遊嵌されたチャックリングと、外筒と内筒との間に設けられて内筒を後方に付勢してなるスプリングとから構成されてなる消しゴム繰り出し容器において、外筒にばらつき吸収手段を形成してなる消しゴム繰り出し容器を提供する。
【発明の効果】
【００１１】
この発明の繰り出し容器用消しゴムは、消しゴムが挟持されているチャックからの滑りによって後退することがなく確実に操作・使用できる利点がある。また、この発明の消しゴム繰り出し容器は、消しゴムの径等にばらつきがあってもそのばらつきを吸収して操作に支障がない利点を有する。さらに、消しゴムが短くなって、チャックから落下した場合にも外部から消しゴムを前進せしめてチャックに挟持せしめて消しゴムを繰り出すことができる利点がある。
【発明を実施するための最良の形態】
【００１２】
この発明は、外筒内に摺動自在に設けられた内筒と、この内筒の先部に設けられ消しゴムを挟持するチャックと、このチャックに遊嵌されたチャックリングと、外筒と内筒との間に設けられ内筒を後方に付勢するスプリングとを有し、内筒をノック操作してチャックを前後動することにより消しゴムを外筒の先端開口から繰り出すことができる消しゴム繰り出し容器に用いられる消しゴムであって、この消しゴムの表面の少なくとも一部分に滑り止め手段を形成してなる繰り出し容器用消しゴムからなる。
【実施例１】
【００１３】
以下、この発明の実施例について図面を参照して詳細に説明する。
まず、図２から図６はこの発明の消しゴム繰り出し容器を示し、扁平形状の容器本体である外筒１内にはチャック３が一体的に形成された内筒２が摺動可能に設けられている。なお、外筒１の内周には前端に直立壁を有する係止部１ａが形成されている。これに対応して内筒２の外周には後端に直立壁を有する係止突部２ａが形成されていて外筒１に関して内筒２の後方への移動を規制している。
【００１４】
即ち、外筒１の内壁には係止部１ａが形成されており、これに対応して内筒２の外壁には係止突部２ａが形成されて、後述するように外筒１と内筒２との間に介装されたスプリング６の後方への付勢力によって外筒１から内筒２が抜け落ちないようにされている。また、チャック３は、その外側に後述するチャックリング４の前端面が当接する段部３ａが形成されており、チャック３の内側には消しゴム５を先端部で保持する先端保持部３ｃと挟持するための挟持突起３ｂが設けられている。
【００１５】
なお、図中符号１ｂは、図１１の突起部２１ａに相当するものであって、外筒１の前部内壁に対向して形成されたチャックリング４の抜け止め用の一対の係止突起である。これらの係止突起１ｂは、チャックリング４の連結用孔に差し込まれ、チャックリング４が押し込んで遊嵌されると外筒１に連結され、一度連結されると、抜け止めされて連結状態が維持される。
【００１６】
このように、内筒２の前部のチャック３にはチャックリング４が遊嵌されていて、内筒２の後端のノック７がノックされて内筒２が前進せしめられる過程でチャック３が拡開されて消しゴム５を繰り出す。ノックを終えると、内筒２と共にチャック３も後退して閉じられるのでチャック３は再び消しゴム５を挟持する。なお、外筒１の長手方向には対向して一対のスリット８ａがコ字形に形成されている。このスリット８ａは消しゴム５に成形上のばらつきがあった場合に、それを吸収して繰り出し操作をスムーズにする利点がある。
【００１７】
さらに、このスリット８ａの後方には、短くなって、消しゴム収納時に消しゴム５の先端を押圧しすぎてチャック３の銜え代から消しゴム５が外れて容器内に落ち込んでしまったときに、外部から治具によって消しゴム５を押し出してチャック３内にセットすることができる操作孔８ｂが形成されている。なお、図４において、符号１ｃはコ字形のスリット８ａによって形成された撓み部である。
【００１８】
次に、このような繰り出し容器に適したこの発明による消しゴム５について図１を用いて詳細に説明する。即ち、消しゴム５は、図に示されるように６面からなる扁平な形状である。そして、その上下面にはそれぞれ長手方向に全体に渡って上端が尖がった突条９が形成されている。より詳しく述べると、これらの突条９は、上下の各面に２本ずつ形成されている。しかも、上下各面の突条９は、互いに平面的に重ならない位置に形成されている。このように形成された突条９は、上述したような消しゴム繰り出し容器にセットされて繰り出されると、消しゴム５の上下面はチャック３に挟持されており、このとき滑り止めである消しゴム５の上下面に形成された突条９によって、チャック３から滑って簡単に後退することがない。
【００１９】
即ち、消しゴム５は、筆記芯などのチャック機構により繰り出されるものと比べると、弾力があって変形しやすいが、消しゴム５の上下面に形成された突条９のために滑り止め効果がある。さらに、シャープペンシル等の筆記具の筆圧に比べて、消しゴム５使用中にチャック３に加わる荷重は比べられないほど大きいが、この場合にも消しゴム５の上下面の突条９が滑り止めとして作用するので消しゴム５が退没しない効果もある。その上、突条５の上端が尖っており、かつ消しゴム５の上下面の突条５が平面的に重なった位置にないから、上下に圧縮され易いので、チャック３に圧入しやすい利点もある。
【００２０】
次に、この発明に係る消しゴム繰り出し容器の動作について説明する。まず、外筒１を把持し、内筒２後端のノック部７をノックしスプリング６の弾発力に抗して、又はそのばね力によりチャック３を移動させると内筒２の先端チャック３により棒状消しゴム５を先端より繰り出すことが出来、消字などに使用することができる。なお、この消しゴム５が減ったときは、ノック操作を行って必要な分だけ棒状消しゴム５を繰り出すことができる。
【００２１】
一方、棒状消しゴム５を引っ込めるときは、チャック３後端のノック部９を通常のノック操作以上にスプリング６の弾発力に抗して押し込むと、チャックリング４が移動して内筒２の先部のチャック３が開放されて、この状態で棒状消しゴム５の先端を押すことにより引っ込めることができる。
【００２２】
なお、消しゴム５が摩耗して新しいものと交換するためには、後端ノック部７をノックしてチャック３を拡開した状態で残留消しゴムを取り出す。その後、そのままの状態で又は再度ノックしてチャック３を拡開した状態で、前方より新しい消しゴム５を挿入して押し込めば容易にセットされる。この場合、消しゴム５の径等にばらつきがあっても、外筒１に形成されたコ字形のスリット８ａが、ばらつきを吸収するので、消しゴム５のセット及び繰り出し操作をスムーズに行うことができる。さらに、消しゴムが短くなって、チャック３から後方に落ち込んだ場合には、外部から、鉛筆などの治具によって操作長孔８ｂを介して前進せしめてチャック３内にセットすれば再び消しゴム５を繰り出すことができる利点もある。
【００２３】
図７〜図１０は、この発明の他の実施例による繰り出し用消しゴム５を示す。この例では、消しゴム５の横断面が三角形状であり、図７は三角形の各面の中央長手方向に横断面三角形状の滑り止め用突条９が形成されている。また、図８の消しゴム５は、各面に複数即ち２本の滑り止め用突条９がそれぞれ形成されている。従って、突条９の形状及び本数は問わないものである。さらに、図９の突条９は横断面三角形状の頂部をカットして平坦とした形状のものであり、図１０は突条９の横断面が弧状のものである。なお、これら三角形状の消しゴムを使用する場合には、当然のことながらチャックを初めとして適宜構造の繰り出し容器を用いればよい。
【００２４】
上記各実施例における棒状消しゴム６の断面形状は、扁平なもの及び断面三角形状のものを説明したが、これらに限定されることなく、例えば断面四角形の棒状消しゴムでも良いことはもちろんである。また、消しゴムの滑り止め手段は、チャックに挟持される部分の一部であってもまた全部であっても良く、連続する突条に限らず滑り止め機能があれば突起等であっても良い。
【図面の簡単な説明】
【００２５】
【図１】この発明の実施例による繰り出し容器用消しゴムの斜視図である。
【図２】上記消しゴムを繰り出すための本発明による容器の横断面図である。
【図３】図２の容器の縦断面図である。
【図４】図２の容器の平面図である。
【図５】図２の容器の右側面図である。
【図６】図２の容器の左側面図である。
【図７】この発明の他の実施例による繰り出し容器用消しゴムの斜視図である。
【図８】図７の消しゴムの変形例を示す断面三角形の消しゴムの斜視図である。
【図９】図７の消しゴムの変形例を示す断面三角形の消しゴム斜視図である。
【図１０】図７の消しゴムの変形例を示す断面三角形の消しゴム斜視図である。
【図１１】従来の消しゴム繰り出し容器を示す横断平面図である。
【符号の説明】
【００２６】
１    外筒
１ａ  係止部
１ｂ  係止突起
１ｃ  撓み部
２    内筒
２ａ  係止突部
３    チャック
３ａ  段部
３ｂ  挟持突起
３ｃ  先端保持部
４    チャックリング
５    消しゴム
６    スプリング
７    ノック部
８ａ  スリット
８ｂ  操作孔
９    突条（滑り止め手段）
【図１】
2006056086.tif 000003
【図２】
2006056086.tif 000004
【図３】
2006056086.tif 000005
【図４】
2006056086.tif 000006
【図５】
2006056086.tif 000007
【図６】
2006056086.tif 000008
【図７】
2006056086.tif 000009
【図８】
2006056086.tif 000010
【図９】
2006056086.tif 000011
【図１０】
2006056086.tif 000012
【図１１】
2006056086.tif 000013